(57)【要約】      （修正有）【課題】吸水シートを用いることなく、ペットの排泄処理に好適に使用され、さらにはアンモニア臭の消臭も有効に行うことが可能な簡易トイレ具を提供する。【解決手段】多数の小孔１１ａを有するトイレ砂保持基板１１を底壁とする排尿用トレイ１と前記排尿用トレイ１の下側に配置され、前記トイレ砂保持基板１１の小孔１１ａを通過して落下する尿を集液し且つ集液された尿を排出する集液ロート３及び前記集液ロート３の下側に配置され該集液ロート３の排液管３ｂが挿入される口部を備えた排尿収納容器５からなる簡易トイレ具である。【選択図】図１
2006149372.tif 000002
【特許請求の範囲】
【請求項１】
多数の小孔を有するトイレ砂保持基板を底壁とする排尿用トレイ；
前記排尿用トレイの下側に配置され、前記トイレ砂保持面の小孔を通過して落下する尿を集液し且つ集液された尿を排出する集液ロート；
及び
前記集液ロートの下側に配置され、該集液ロートの排液管からの液を受ける口部を備えた排尿収納容器；
からなることを特徴とする簡易トイレ具。
【請求項２】
上端開口のボックス状の基台を備え、前記排尿収納容器は、該基台の内部に載置され、前記排尿用トレイは、該基台の上端面に保持されており、前記集液ロートは、前記排尿用トレイに着脱自在に保持されている請求項１に記載の簡易トイレ具。
【請求項３】
前記排尿収納容器及び支持枠体は、何れも透明に形成されている請求項２に記載の簡易トイレ具。
【請求項４】
前記排尿収納容器内には、吸水性材料が敷き詰められている請求項１または２に記載の簡易トイレ具。
【請求項５】
前記排尿収納容器の口部には、開閉自在にシール部材が設けられている請求項４に記載の簡易トイレ具。
【請求項６】
前記排尿収納容器は紙製またはプラスチック製であり、前記吸水性材料と共に使い捨て使用される請求項４または５に記載の簡易トイレ具。
【発明の詳細な説明】
【技術分野】
【０００１】
本発明は、簡易トイレ具に関するものであり、より詳細には、ペットの排泄処理に好適に使用される簡易トイレ具に関する。
【背景技術】
【０００２】
室内で飼育するペットの流行に伴い、室内でのペットの排泄処理が問題となっている。このような問題に対応するため、消臭剤や殺菌剤を含む吸水性シートが使用されるようになってきており、例えば特許文献１には、低吸水性の排泄物処理剤（例えば低吸水性のトイレ砂）を保持するすのこを備え、すのこの下方に適当な配設空間が形成されているトレイからなり、この配設空間に吸水性シートを設けたペット用排泄物処理具が提案されている。
【特許文献１】特開２００３−１８０１８２号公報
【発明の開示】
【発明が解決しようとする課題】
【０００３】
しかしながら、吸水性シートを用いたペット用排泄処理具には、致命的な欠点がある。即ち、吸水性シートの廃棄という問題である。例えば、このような吸水性シートは、通常のゴミと一緒に廃棄すると、圧縮力などの作用により、該シート内に吸収されていた尿が滲みだしたり、ひどい場合には飛び散ったりしてしまうことがあり、ゴミ袋の中が尿で充満してしまったり、場合によっては、廃棄業者の手や服を汚してしまうなど、衛生上、極めて問題である。勿論、吸水シート自体がゴミになるという環境問題もある。
【０００４】
さらに、排泄された尿の全てが吸水シートに吸収されるとは限らず、吸水シートの周縁部に尿が付着し、この吸水シートを廃棄する際に、手を汚すなどの問題もある。
【０００５】
さらに、上記の吸水シートには、消臭剤が含浸されているが、その消臭効果は十分でなく、所謂アンモニア臭を十分に除去することができないという問題もある。即ち、吸水シートのほぼ全面が開放されているため、消臭剤のみで、吸収シートから発散されるアンモニア臭を消臭するには限界がある。
【０００６】
従って、本発明の目的は、吸水シートを用いることなく、ペットの排泄処理に好適に使用され、さらにはアンモニア臭の消臭も有効に行うことが可能な簡易トイレ具を提供することにある。
本発明の他の目的は、吸水シートなどの尿を吸収する部材を用いた場合にも、その廃棄を簡便にかつ衛生的に行うことができる簡易トイレ具を提供することにある。
【課題を解決するための手段】
【０００７】
本発明によれば、多数の小孔を有するトイレ砂保持基板を底壁とする排尿用トレイ；
前記排尿用トレイの下側に配置され、前記トイレ砂保持基板の小孔を通過して落下する尿を集液し且つ集液された尿を排出する集液ロート；
及び
前記集液ロートの下側に配置され、該集液ロートの排液管からの液を受ける口部を備えた排尿収納容器；
からなることを特徴とする簡易トイレ具が提供される。
【０００８】
本発明の簡易トイレ具においては、
（１）上端開口のボックス状の基台を備え、前記排尿収納容器は、該基台の内部に載置され、前記排尿用トレイは、該基台の上端面に保持されており、前記集液ロートは、前記排尿用トレイに着脱自在に保持されていること、
（２）前記排尿収納容器及び基台は、何れも透明に形成されていること、
或いは、
（３）前記排尿収納容器内には、吸水性材料が敷き詰められていること、
（４）前記排尿収納容器の口部には、開閉自在にシール部材が設けられていること、
（５）前記排尿収納容器は紙製またはプラスチック製であり、前記吸水性材料と共に使い捨て使用されること、
が好適である。
【発明の効果】
【０００９】
本発明の簡易トイレ具では、吸水性のシートは使用されず、容器（排尿収納容器）内に排尿が収納される。従って、該容器に収納された排尿を、通常のトイレに流し、該容器をそのまま或いは洗浄して繰り返し使用すればよく、吸水性シートの廃棄の問題は全くない。
【００１０】
また、排尿された尿は、排尿用トレイのトイレ砂保持面に形成されている小孔から流れ落ちるが、集液ロートによって集液され、例えば排尿収納容器の口部に挿入された排液管を通って該容器内に収納される。従って、この排尿収納容器の周縁部が尿で汚れることはなく、極めて衛生的である。しかも、排尿収納容器は、その口部のみが開放されているに過ぎず、臭いが発散される開放面が著しく小さいばかりか、その上部は、集液ロートによりカバーされている。従って、排尿用トレイに置かれるトイレ砂として、脱臭性、特にアンモニア等の塩基成分捕捉性に優れたものを使用することにより、アンモニア臭等の悪臭を容易に脱臭することができる。
【００１１】
さらに、本発明においては排尿収納容器の内部に吸水性材料を敷き詰めることもできる。この態様は、尿を吸収保持した吸水性材料を、排尿収納容器毎廃棄することができ、該吸水材料を衛生的に処理することができるという利点がある。
【発明を実施するための最良の形態】
【００１２】
以下、本発明を添付図面に示す具体例に基づいて詳細に説明する。
図１は、本発明の簡易トイレ具の一部破断部分透視斜視図であり、
図２は、図１の簡易トイレ具を構成する主部材の分解側断面図であり、
図３は、本発明の簡易トイレ具の他の態様における一部破断部分透視斜視図であり、
図４は、図３の簡易トイレ具に使用される排尿収納容器の一例を示す一部破断部分透視斜視図であり、
図５は、図３の簡易トイレ具に使用される排尿収納容器の他の例を示す一部破断部分透視斜視図である。
【００１３】
図１及び図２を参照して、本発明の簡易トイレ具は、排尿用トレイ１と、排尿用トレイ１の下側に位置する集液ロート３と、集液ロートにより集液された尿を収納する排尿収納容器５とを備えており、排尿収納容器５は、上端開口のボックス状の基台７の内部に載置されている。
【００１４】
排尿用トレイ１は、矩形上のトイレ砂保持基板１１を底壁としており、この保持基板１１の周縁からは、その全周にわたって側壁１３が上方に延びている。
【００１５】
トイレ砂保持基板１１には、多数の小孔１１ａが形成されており、このような保持基板１１上に、ろ過性や脱臭機能を有するトイレ砂が敷き詰められ、この上で排泄が行われることとなる。従って、尿は、上記小孔１１ａを通って下方に落下する。また、側壁１３は、上方に広がるように若干傾斜しており、側壁１３の内面に液（尿）が付着したとき、側壁１３の付け根部に落下滞留せず、基板１１（トイレ砂）の中心部に向かって流れ落ち、トイレ砂によるろ過や脱臭処理が有効に行われるようになっている。
【００１６】
また、図２から理解されるように、側壁１３の上端からは外方に水平フランジ１５が延びており、この水平フランジ１５による段差を利用して、このトレイ１が、後述する基台７の上端に安定に保持させるようになっている。さらに、水平フランジ１５の外周縁からは、その全周にわたって背の低い直立フランジ１７が設けられており、水平フランジ１５の上面に尿が付着したとき、この尿がトレイ１の外面側に流れ落ちないようになっている。
【００１７】
さらに、図１に示されているように、上記直立フランジ１７の３方には、トイレ砂飛散防止用のガイド板１９（図２では省略されている）が必要により取り付けられる。勿論、このようなガイド板１９は、直立フランジ１７と一体に成形されていてもよい。
【００１８】
上述した基板１１の下面には、互いに対向する一対の外周縁部のそれぞれにレール２１が設けられている（図２参照）。このレール２１により、集液ロート３が着脱自在に保持される。
【００１９】
集液ロート３は、テーパー状に中心側に向かって降下している集液面３ａを有しており、その中心部分には、排液管３ｂが通じている。即ち、この集液面３ａは、上記の基板１１にほぼ対応する大きさの矩形形状を有しており、互いに対向する一対の周縁部を上記基板１１の下側に形成されているレール２１に挿入することにより、集液ロート３は、トレイ１（基板１１）の下側に保持される。また、集液面３ａの上記周縁部をスライドさせてレール２１から引き出すことにより、集液ロート３をトレイ１から容易に取り外すことができる。
【００２０】
上記の構造から理解されるように、基板１１の小孔を通って落下した尿は、集液ロート３の集液面３ａで集液され、排液管３ｂから下方に排出される。この場合、排液管３ｂは、集液面３ａの中心部に設ける必要は無く、この部分に尿が集液される限り、偏心した位置に排液管３ｂが設けられていてもよい。また、集液面３ａには、フッ素樹脂やシリコン樹脂などの撥水性の良好な材料がコートされていることが好ましく、これにより、集液面３ａ上での尿の付着残存を有効に防止することができる。
【００２１】
上記のような集液ロート３の下側には、排尿収納容器５が配置されており、この排尿収納容器５の口部５ａに、上記の排液管３ｂの下方部分が挿入され、集液ロート３の集液面３ａで集液された尿が排尿収納容器５内に回収されるようになっている。また、この容器５の側面には、必要により、口部５ａとは別個に排出口２３を形成し、使用時においては、この排出口２３を蓋２５で閉じておくことが好ましい。即ち、排尿収納容器５に回収された尿は、通常のトイレに流されることになるが、上記の口部５ａは、必ず集液ロート３の排液管３ｂが挿入される位置に形成しておく必要があり、このような位置的制限により、場合によっては、この口部５ａから尿を流し出しにくくなることがある。しかるに、上記のような排出口２３には、位置的制限はなく、常に、回収された尿を流し出し易い位置に形成しておくことができるからである。
【００２２】
尚、口部５ａと別個の排出口２３を形成する場合には、特に、口部５ａ用の蓋を基台７の内部に置いておくことがよい。排出口２３からの尿を排出するときに、口部５ａを閉じておく必要があるからである。
【００２３】
上述した排尿収納容器５は、上端開口のボックス状の基台７内に配置され、この基台７の上端に、集液ロート３が装着されているトレイ１が保持されている。即ち、トレイ１における水平フランジ１５の下面が、基台７の形成している側壁の上端面に載置され、これにより、トレイ１が安定に保持され、トレイ１によって基台７の上端開口部が閉じられることとなる。
【００２４】
このような構造を有する本発明の簡易トイレ具においては、回収された尿は、排尿収納容器５から通常のトイレに廃棄されるため、吸水シートの如き尿を吸収する部材を使用する必要がないという大きな利点を有している。即ち、尿を吸収した吸水シートのような不衛生な廃棄物をゴミ出しする必要はなく、環境上、極めて好ましいものである。
【００２５】
また、悪臭防止機能の点でも、本発明の簡易トイレ具は、吸水シートを用いた排泄具より優れている。即ち、吸水シートでは、その全面が開放されているため、シート内部に消臭剤を配合したとしても、アンモニア臭などの悪臭を十分に消臭することはできない。一方、本発明では、容器５の口部のみが開放面であり、その面積は極めて小さい。しかも、容器口部５の上方は、集液ロート３によって覆われており、集液ロート３の上側は、トイレ砂が敷き詰められたトレイ１（基板１１）によって閉じられている。従って、トイレ砂にアンモニア臭などの悪臭を消臭する機能を持たせれば、その消臭機能が十分に発揮され、悪臭の発生を有効に防止することができるのである。
【００２６】
さらに、本発明では、基台７の内部に消臭のための香料などを設けておくことにより、一層、悪臭防止効果を高めることができる。さらに、また、トイレ砂の粒子形状を柱状形状とし、基板１１の小孔１１ａを柱状粒子が落ちない程度の大きさの長孔とすることにより、悪臭防止機能を高めることができる。即ち、敷き詰められたトイレ砂の底部にある柱状粒子が、トイレ砂保持面に形成されている多くの長孔を塞ぐように嵌って、長孔をほぼ完全に閉じることができ、このようなシール効果により、悪臭の外部への漏れを有効に防止できる。
【００２７】
上述した説明から理解されるように、本発明においては、トレイ１の基板１１上に敷き詰めるトイレ砂としては、ろ過機能と脱臭機能を有するものが好適に使用されるが、このようなトイレ砂としては、例えば酸性白土の熱処理物からなる粒状成形体を有しており、さらに塩基性成分捕捉剤を含んでおり、各粒子は疎水化剤で表面処理されているものが好適である。このような粒子からなるトイレ砂は、吸水性がなく、優れたろ過性を示し、しかもアンモニア等の悪臭を除去する性能に優れているため、例えば排泄が行われたとき、尿はろ過され、スムーズに排尿収納容器５内に回収される。以下、このトイレ砂について説明する。
【００２８】
上記のようなトイレ砂の製造に使用される酸性白土は、モンモリロナイト系粘土鉱物に属するものであり、ＳｉＯ４四面体層−ＡｌＯ６八面体層−ＳｉＯ４四面体層からなる層状構造、或いはこれらの四面体層、八面体層が異種金属で同型置換された基本骨格を有しており、この基本３層構造中のＡｌＯ６八面体層のＡｌ原子の一部が、マグネシウム原子や２価の鉄原子で置換され、その原子価を補うように水素イオン等が層間でイオン結合しているという化学構造上の特徴を有している。この化学構造上の特徴により、酸性白土は食塩水中に懸濁させ、そのｐＨを測定すると、前記水素イオンがＮａイオンで置換・放出されるため酸性を示す。従って、塩基性成分に対する吸着性を示し、アンモニアの吸着に極めて好適である。
【００２９】
酸性白土の代表的なものとしては、例えばアルカリ金属成分をＲ、アルカリ土類金属成分をＭで表して、酸化物モル基準でのモル組成が下記の範囲にあるものを例示することができる。
Ｒ２Ｏ／ＳｉＯ２＝０．１×１０−２乃至１．５×１０−２
（特に、Ｎａ２Ｏ／ＳｉＯ２＝０．３×１０−２乃至１．０×１０−２）
且つ
Ｍ２Ｏ／ＳｉＯ２＝４．５×１０−２乃至１０．５×１０−２
【００３０】
ところで、上記の酸性白土は、基本層間に水等の液を吸収するという性質を有しており、そのままではろ過材として不適当である。従って、酸性白土を熱処理することにより、ろ過性を付与するのである。
【００３１】
酸性白土の熱処理は、その基本構造を維持させながら層間を収縮させるものであることが必要である。即ち、酸性白土の基本骨格が崩壊するまで熱処理を行うと、塩基性成分に対する吸着性が損なわれ、アンモニア脱臭機能が低下してしまうからである。また、熱処理による層間の収縮は、Ｘ線回折（Ｃｕ−Ｋα）測定で、回折角２θが８．０〜１０．０度の領域にピークが発現することにより確認できる。このような熱処理は、通常、３００乃至８００℃に１０分乃至３時間程度、酸性白土を加熱することにより行われ、例えば、一軸又は二軸の押出型混練装置、ロール型混練装置、バンバリーミキサー、土練機等を用い、混練装置内での摩擦熱を利用したり、或いは外部からの加熱を利用して行うことができる。酸性白土の熱処理物は、それ自体公知の手段で造粒される。造粒には、圧縮成形法、打錠成形法、転動造粒法、噴霧造粒法、押出造粒法等のそれ自体公知の造粒法が使用されるが、熱処理された混練物を直ちに押出造粒するのが好適である。
【００３２】
このようにして得られる酸性白土熱処理物は、通常、最小方向における粒径が０．５乃至８ｍｍであり、アスペクト比が１乃至２０の範囲にあることが、ろ過性や粒子強度などの点で好ましいが、粒子形状は、特に制限されるものではないが、円柱状、角柱状の如き柱状形状であることが小孔１１のシール性を高める点で好ましい。
【００３３】
また、上記のトイレ砂は、酸性白土熱処理物の粒状成形体を基本成分として含有するものであるが、これに加えて、塩基性成分捕捉剤を含有する。この塩基性成分捕捉剤は、特に悪臭の原因となるアンモニアを捕捉するための成分であり、通常、硫酸、リン酸、塩酸及び有機酸（例えば、酢酸、スルホン酸など）もしくは無機酸の金属塩からなる群より選択された少なくとも１種が使用される。このような捕捉剤は、アンモニアと反応可能であれば特に制限されないが、ペットなどに対する安全性やアンモニア捕捉性との観点から、２価以上の無機酸（例えば硫酸、リン酸、ホウ酸など）の金属塩、特にＡｌ塩、Ｍｇ塩、Ｆｅ塩、Ｚｎ塩、Ｃａ塩などが好適に使用され、特に硫酸アルミニウムが最も好適である。
【００３４】
このような塩基性成分捕捉剤は、これを酸性白土熱処理物と混練して酸性白土熱処理物の粒状成形体中に含有させることもできるが、アンモニア捕捉性の点で、後述する疎水化剤とともに表面処理に賦され、酸性白土熱処理物の粒状成形体表面に存在していることが好ましい。尚、塩基性成分捕捉剤を用いての表面処理は、その水溶液或いは水分散液等を粒状成形体表面に吹き付け、乾燥することにより容易に行われる。
【００３５】
即ち、それ自体で塩基成分に対する捕捉性を示す酸性白土の熱処理物の粒状成形体と共に、上記のような塩基性成分捕捉剤を含有させることにより、塩基性成分、特にアンモニアに対する捕捉性に極めて優れ、例えば容器５の口部５ａから漏洩し、基板１１上に流れ出てくる僅かなアンモニアは、このトイレ砂によって有効に捕捉され、悪臭の発生を有効に防止することができる。このような塩基性成分捕捉剤は、一般に、酸性白土熱処理物の粒状成形体１００重量部当り０．１乃至１０重量部、特に１乃至５重量部の量で使用される。この量が少ないと、アンモニア捕捉性が低下し、また、あまり多量に使用すると、水分等に対する吸着性が増大し、ろ過性が低下するおそれがある。
【００３６】
また、上述した酸性白土熱処理物の粒状成形体は、疎水化剤で表面処理されていることが重要であり、これにより、優れたろ過性が付与される。このような疎水化剤としては、脂肪族炭化水素、オルガノポリシロキサンなどのシリコーン、脂肪酸、脂肪族アルコール、ポリグリコール類、各種アマイド、アミン、一価又は多価のアルコールの脂肪酸エステル、トリグリセライド、ワックス、高級脂肪酸のアルカリ金属、アルカリ土類金属、亜鉛及びアルミニウムの塩（金属石けん）、低分子量ポリエチレン、酸化ポリエチレンなどの低分子量ポリオレフィン、フッ素系樹脂、その他としてプロピレングリコールアルギネート、ジアルキルケトンアクリルポリマーなどを例示することができる。特に好適な疎水化剤は、脂肪酸もしくはその金属塩、ワックス及び低融点樹脂であり、疎水化剤は、一般に、酸性白土熱処理物の粒状成形体１００重量部当り１乃至２０重量部、特に３乃至１０重量部の量で使用される。この量が少ないと、ろ過性が低下し、また、あまり多量に使用すると、アンモニア捕捉性が低下し、悪臭の除去を有効に行うことが困難となるおそれがある。
【００３７】
上記の疎水化剤を用いての表面処理は、例えば疎水化剤の水溶液或いは水分散液等を粒状成形体に噴霧し、乾燥することにより行うことができ、この表面処理と同時に、例えば疎水化剤の水溶液等に前記塩基性成分捕捉剤を添加しておくことにより、塩基性成分を表面に付着させることもできる。
【００３８】
勿論、上記のトイレ砂には、上述した成分以外に、例えば公知の抗菌剤を含有していてもよく、例えば銅化合物や銀化合物などの抗菌性化合物を、粒状成形体表面に展着させておくこともできる。このような銅化合物としては、硫酸銅、硝酸銅、塩基性硫酸銅、塩基性硫酸銅カルシウム塩（ボルドー液）、塩化銅、炭酸銅などの無機塩や、ジカルボン酸銅などの有機塩を例示することができ、またＡｇ化合物としては、硝酸銀等の塩や塩化銀などのハロゲン化物、その他、水酸化物、酸化物、錯体等を挙げることができる。これらの抗菌性化合物は、疎水化剤と同様の表面処理によって、粒状成形体表面に展着させることができる。
【００３９】
本発明の簡易トイレ具では、上述したトイレ砂の使用により、著しく高い悪臭発生防止効果が発揮される。また、このようなトイレ砂は、上記で述べたように、吸水を殆ど生じないため、糞等で汚染されたときにも水等で洗浄することにより、繰り返し使用することができる。
【００４０】
本発明の簡易トイレ具では、これを構成するトレイ１、集液ロート３、排尿収納容器５及び基台７は、通常、各種プラスチックにより形成されるが、特に排尿収納容器５及び基台７は、収納容器５内の尿の量が外部から視認できる程度の透明性を有していることが好ましい。また、トレイ１は、基台７の上端にヒンジ連結で保持させることもでき、さらに、基台１の側壁には、適当な扉を形成しておき、この扉から排尿収納容器５を出し入れするようにすることもできる。
【００４１】
本発明においては、上述した集液ロート３、排尿収納容器５、トレイ１の基板１１の表面など、尿と接触する表面に、公知の抗菌剤をコートしたり、或いはこれらの部材を、抗菌剤を練り込んだプラスチックで成形することにより、抗菌性を付与し、衛生的な特性を高めることができる。また、排尿収納容器５内に、塩基性成分捕捉剤（アンモニアの吸着剤）、ウレアーゼ阻害剤（アンモニア発生抑止剤）を入れておくことができるし、これらの剤を練り込んだプラスチックにより排尿収納容器５を成形することもできる。勿論、排尿収納容器５内に抗菌剤乃至殺菌剤を入れておくこともできる。さらに、トイレ砂は粘土の粒状成形体に限定されるものではなく、例えばプラスチックや、表面が疎水性の紙乃至木製のものを用いることもできる。特に、プラスチック製のものは、水洗等により再利用できるという利点がある。
【００４２】
本発明の簡易トイレ具は、特にペット用に好適に使用されるが、介護用品として、足の不自由な病人乃至老人などにも使用することができる。また、この簡易トイレ具は、通常、室内に置かれるが、排尿収納容器５の排出口２３に、水洗トイレに接続される配管やポンプなどを接続し、自動的に或いはスイッチ操作により、容器５内の尿を水洗トイレに直接排出できる構造とすることなども可能である。
【００４３】
また、上述した図１及び図２では、排尿収納容器５内に回収された尿を、該容器５からトイレ等に廃棄する例を示したが、本発明の簡易トイレ具は、排尿収納容器５内に吸水性材料を敷き詰めておき、この容器５を吸水性材料と共に使い捨て使用することもできる。このように、排尿収納容器５が使い捨て使用されるときの簡易トイレ具を図３に示し、図４及び図５には、この簡易トイレ具に使用される排尿収納容器５の代表例が示されている。
【００４４】
図３において、この簡易トイレ具は、排尿収納容器５の形態が、図１及び図２とは異なっている点を除けば、排尿用トレイ１、集液ロート３及びボックス状基台７等が設けられている点において、図１及び図２に示されている簡易トイレ具と実質上同一の構造を有している。従って、詳細な印照数字は省略されている。
【００４５】
図３から明らかなように、この排尿収納容器５は、内部に吸水性材料（図３において図示せず、図４及び図５において３０で示す）が敷き詰められているため、基台７の底部内面と同程度の大きさの箱型形状を有しており、これにより、吸水性材料３０を大面積で敷き詰められるようになっている。また、このような形状の排尿収納容器５でも、上面に、集液ロート３の排液管３ｂからの液を受ける口部５ａが形成されている。この場合、口部５ａに排液管３ｂが挿入されるように排尿収納容器５が配置されていることが、尿の漏洩を防止する上で好ましい。
【００４６】
排尿収納容器５の内部に敷き詰められる吸水性材料３０としては、特に限定されるものではないが、一般的には、吸水性パルプ、脱脂綿、吸水性の紙などの吸水性繊維材料が好適である。即ち、このような吸水性材料３０により、集液ロート３の排液管３ｂから排尿収納容器５内に流れ落ちた尿は、吸水性材料３０により吸収され、該吸水性材料３０の全体に拡散して吸収保持される。
【００４７】
この排尿収納容器５は、繰り返して行われる排尿により、ある程度の量の尿が吸水性材料３０に吸収された後に、吸水性材料３０が収容されたまま廃棄され、新たな吸水性材料３０が敷き詰められている排尿収納容器５と交換されて使用に供される。従って、このような使い捨ての観点から、かかる排尿収納容器５は、安価な紙製或いはプラスチック製であることが好ましい。
【００４８】
また、排尿収納容器５を紙製としたときには、該容器５の内面及び外面の少なくとも一方を、プラスチックフィルムで被覆したり、或いはワックス等の疎水性材料をコーティングしておくことが好ましい。これにより、容器５からの尿の滲み出しを有効に防止することができ、基台７の内部が尿で汚れたり、或いは容器５の廃棄に際して、尿により手が汚れたりすることがなく、極めて衛生的である。
【００４９】
本発明において、使い捨て使用される上記の排尿収納容器５の口部５ａは、開閉自在なシール部材によりシールされていることが好ましく、これにより、排尿収納容器５の廃棄に際して、口部５ａからの尿漏れや臭い漏れを確実に防止することができる。
【００５０】
例えば、図４に示すように、口部５ａを覆うように、シール紙またはシールフィルム３３を粘着材によって閉じておき、使用時に、このシール紙またはシールフィルム３３を捲り、口部５ａを開放し、未使用時或いは廃棄時には、シール紙またはシールフィルム３３を、再び、口部５ａを覆うように閉じて粘着固定すればよい。
【００５１】
また、図５に示すように、少なくとも口部５ａが形成される部分及びその近傍をプラスチック製とし、口部５ａを筒状に成形するとともに、この口部５ａを閉じることができるようにヒンジ蓋３５を形成することもできる。即ち、ヒンジ蓋３５の内面には、シールリング３７が設けられており、ヒンジ蓋３５を旋回して閉じたときに、シールリング３７の内面に筒状形状の口部５ａの外面が密着するように構成されている。従って、使用時には、このヒンジ蓋３５を開栓して口部５ａを開放し、未使用時或いは廃棄時には、ヒンジ蓋３５を閉栓して再び口部５ａを閉じておけばよい。
【００５２】
尚、図示されていないが、図４のシール紙またはシールフィルム３３或いは図５のヒンジ蓋３５には、それぞれ摘み片を設けておくのがよい。
【００５３】
上述した図３〜図５の態様において、排尿収納容器５を紙製とする場合には、所定の口部５ａが形成されている紙製シートを作成し、この紙製シートを、吸水性材料３０を包み込みようにして箱型形状に組み立て、所定の部分を接着剤等で固定すればよい。
【００５４】
また、図３〜図５では、排尿収納容器５を箱型形状とした例を示したが、所定の口部５ａが形成されている限り、かかる容器５を袋状とすることも可能である。容器５を袋状とする場合には、所定の口部５ａが形成されている包装用のフィルムを用い、このフィルムによって吸水性材料３０を包み込み、該フィルムの開放端部をヒートシールにより溶着固定すればよい。
【００５５】
上記のように、吸水性材料３０を排尿収納容器５内に設けた場合には、排尿収納容器３を使い捨てとし、使用済みの吸水性材料３０を排尿収納容器５と共に廃棄することにより、廃棄時の尿の飛散や漏洩を有効に防止することができ、衛生的に廃棄処理を行うことができる。
【図面の簡単な説明】
【００５６】
【図１】本発明の簡易トイレ具の一部破断部分透視斜視図。
【図２】図１の簡易トイレ具を構成する主部材の分解側断面図。
【図３】本発明の簡易トイレ具の他の態様における一部破断部分透視斜視図。
【図４】図３の簡易トイレ具に使用される排尿収納容器の一例を示す一部破断部分透視斜視図。
【図５】図３の簡易トイレ具に使用される排尿収納容器の他の例を示す一部破断部分透視斜視図。
【符号の説明】
【００５７】
１：排尿用トレイ
３：集液ロート
５：排尿収納容器
５ａ：口部
７：基台
３０：吸水性材料
３３：シール紙またはシールフィルム
３５：ヒンジ蓋
【図１】
2006149372.tif 000003
【図２】
2006149372.tif 000004
【図３】
2006149372.tif 000005
【図４】
2006149372.tif 000006
【図５】
2006149372.tif 000007